(57)【要約】【課題】噴霧するミスト量を少なくした弱運転を行うときにテレビにミストがかからないようにしたりして快適に入浴することができるミスト浴装置を提供する。【解決手段】浴室１の浴槽２の上方の天井３に浴室暖房機Ａを設置し、浴室暖房機Ａに浴槽２の長手方向と平行な方向に間隔を隔てて複数個のミストノズル４ａ，４ｂを設け、複数個のミストノズル４ａ，４ｂから同時に温水のミストを噴霧することによりミストの量を多くした強運転ができると共に複数個のミストノズル４ａ，４ｂのうちいずれかのミストノズルから温水のミストを噴霧することによりミストの量を少なくした弱運転ができるようにした浴室のミスト浴装置である。これにおいて、噴霧するミスト量を少なくした弱運転をするとき、ミストを噴霧するミストノズル４ａ，４ｂを選択して切り替えることができるノズル切り替え手段を設ける。【選択図】        図７
2006094954.tif 000002
【特許請求の範囲】
【請求項１】
浴室の浴槽の上方の天井に浴室暖房機を設置し、浴室暖房機に浴槽の長手方向と平行な方向に間隔を隔てて複数個のミストノズルを設け、複数個のミストノズルから同時に温水のミストを噴霧することによりミストの量を多くした強運転ができると共に複数個のミストノズルのうちいずれかのミストノズルから温水のミストを噴霧することによりミストの量を少なくした弱運転ができるようにした浴室のミスト浴装置であって、噴霧するミスト量を少なくした弱運転をするとき、ミストを噴霧するミストノズルを選択して切り替えることができるノズル切り替え手段を設けたことを特徴とするミスト浴装置。
【請求項２】
噴霧するミスト量を少なくした弱運転をするときにミストを噴霧するミストノズルを選択する切り替えがリモコン操作で行えるようにしたことを特徴とする請求項１記載のミスト浴装置。
【請求項３】
浴槽の長手方向の両端のうちいずれか一方で浴室の壁面にテレビを装着し、噴霧するミスト量を少なくした弱運転をするとき、テレビがある側のミストノズルからミストを噴霧しなく且つテレビがある側と反対側のミストノズルからミストを噴霧するように切り替えることを特徴とする請求項１または請求項２記載のミスト浴装置。
【発明の詳細な説明】
【技術分野】
【０００１】
本発明は、浴室内に温水のミストを噴霧してミスト浴をしたり、ミストを噴霧するとき温風により暖房してミストサウナ浴をしたりし得るようにしたミスト浴装置に関するものである。
【背景技術】
【０００２】
従来、浴室の浴槽の上の天井に設置して浴室の暖房や浴室の乾燥や浴室の換気や浴室の送風を行うようにした浴室暖房乾燥機において、浴室内に温水のミストを噴霧すると共に浴室内を暖房してミストサウナ浴もできるようにしたミストサウナ機能付浴室暖房乾燥機が提案されている（例えば、特許文献１、特許文献２参照）。
【０００３】
かかるミストサウナ機能付浴室暖房乾燥機ではミストノズルから温水のミストを噴霧すると共に吹き出し口から温風を吹き出すことによりミストサウナ浴ができるようになっている。また天井の浴室暖房乾燥機には浴槽の長手方向と平行な方向に複数のミストノズルを所定の間隔を隔てて設けてあり、複数のミストノズルから浴室にミストを噴霧するとき浴室内に均等にミストが行き亙るようになっている。  
【特許文献１】特開２００２−３３６３２７号公報
【特許文献２】特開２００３−３１０６９８号公報
【発明の開示】
【発明が解決しようとする課題】
【０００４】
ところで、近年、浴室にテレビを設けることにより浴室内でテレビを見ながら入浴することができるようにすることも行なわれている。浴室にテレビを設ける場合、浴槽の長手方向の両端のうちいずれか一方の壁面に設けられ、浴槽に浸かって入浴するときテレビが見やすいようになっている。ところが、ミストノズルから温水のミストを噴霧してミストサウナ浴をするときテレビにミストがかかるとテレビが見えにくくなるという問題がある。ミストノズルから多量のミストを噴霧して強運転でミストサウナ浴をする場合はテレビを見ることもないが、ミストノズルから噴霧するミストの量を少なくして弱運転でミストサウナ浴する場合は長時間入浴することとなるためテレビを見ながら入浴したいという要望がある。  
【０００５】
本発明は上記の従来の問題点に鑑みて発明したものであって、噴霧するミスト量を少なくした弱運転を行うときにテレビにミストがかからないようにしたりして快適に入浴することができるミスト浴装置を提供することを課題とするものである。
【課題を解決するための手段】
【０００６】
上記課題を解決するために本発明の請求項１のミスト浴装置は、浴室１の浴槽２の上方の天井３に浴室暖房機Ａを設置し、浴室暖房機Ａに浴槽２の長手方向と平行な方向に間隔を隔てて複数個のミストノズル４を設け、複数個のミストノズル４から同時に温水のミストを噴霧することによりミストの量を多くした強運転ができると共に複数個のミストノズル４のうちいずれかのミストノズル４から温水のミストを噴霧することによりミストの量を少なくした弱運転ができるようにした浴室のミスト浴装置であって、噴霧するミスト量を少なくした弱運転をするとき、ミストを噴霧するミストノズル４を選択して切り替えることができるノズル切り替え手段を設けたことを特徴とする。
【０００７】
上記の構成によれば、噴霧するミスト量を少なくして弱運転するとき、複数個のミストノズル４のうちいずれかミストノズル４からミストを噴霧するが、このとき複数個のミストノズル４のうちいずれのミストノズル４からミストを噴霧するのかを選択して切り替えることができ、浴室１にテレビ５を設置した場合、弱運転時にテレビ５に近いミストノズル４からミストを噴霧しないように運転ができてテレビ５を見ながら快適にミストを浴びる入浴ができる。またテレビ５を浴槽２の長手方向の両端のうちいずれの方に設けても上記のように切り替えることでテレビ５にミストがかかりにくいように設定できる。また人の位置やミストの当たり方の好みに応じて選択して切り替えてミストを浴びる入浴ができる。
【０００８】
また本発明の請求項２のミスト浴装置は、請求項１において、噴霧するミスト量を少なくした弱運転をするときにミストを噴霧するミストノズル４を選択する切り替えがリモコン操作で行えるようにしたことを特徴とする。弱運転するときミストを噴霧するミストノズル４を選択する切り替えがリモコン操作できることにより、浴室１の施工をした後でも簡単に設定を行うことができる。
【０００９】
また本発明の請求項３のミスト浴装置は、請求項１または請求項２において、浴槽２の長手方向の両端のうちいずれか一方で浴室１の壁面にテレビ５を装着し、噴霧するミスト量を少なくした弱運転をするとき、テレビ５がある側のミストノズル４からミストを噴霧しなく且つテレビ５がある側と反対側のミストノズル４からミストを噴霧するように切り替えることを特徴とする。浴槽２の長手方向の端部にテレビ５を設置したことにより浴槽２に浸かって入浴するときテレビ５を見やすいのは勿論、浴槽２の長手方向の両端のうちいずれの方にテレビ５を設置してあっても弱運転時にはテレビ５に近い方のミストノズル４からミストを噴霧しないようにしてテレビ５にミストがかかりにくいようにし、テレビ５を見ながら快適にミストを浴びることができる。
【発明の効果】
【００１０】
本発明は叙述の如く複数個のミストノズルのうちいずれかのミストノズルからミストを噴霧して弱運転するとき、ミストを噴霧する方のミストノズルがいずれの方にでもなるように切り替えることができ、浴室にテレビを設置した場合、弱運転時にテレビに近いミストノズルからミストを噴霧しないように切り替えて運転ができるものであって、弱運転時にテレビを見ながら快適にミストを浴びることができるという効果があり、またテレビを浴槽の長手方向の両端のいずれ側に設けても上記のように切り替えることでテレビにミストがかかりにくいように設定できるという効果があり、また人の位置やミストの当たり方の好みに応じて選択して切り替えてミストを浴びる入浴ができるという効果がある。
【発明を実施するための最良の形態】
【００１１】
以下、本発明を添付図面に示す実施形態に基いて説明する。図１乃至図３に示すように本発明ミスト浴装置はユニットバスのような浴室１にミスト浴機能付浴室暖房機（以下、単に浴室暖房機という）Ａを設置して構成されている。この浴室暖房機Ａは浴室１内の暖房をしたり、浴室１内の換気をしたり、浴室１内に干した洗濯物を乾燥したり、浴室１内に涼風を送風したり、浴室１内に温水のミストを噴霧してミスト浴をしたり、浴室１内に温水のミストを噴霧すると共に温風を吹き出してミストサウナ浴をしたりする機能を有する。本例の場合、浴室暖房機Ａは暖房以外に換気や乾燥の機能を有する所謂浴室暖房乾燥機であるが、乾燥や換気がない暖房や送風の機能を有するだけでもよい。
【００１２】
また浴室暖房機Ａを浴室１に設置するとき、浴槽２の上方の位置で浴室１の天井３に浴室暖房機Ａを設置してある。浴室暖房機Ａの浴室暖房機本体６は浴室１の天井裏に配置してあり、吊り金具７にて天井スラブ等に吊り支持してあり、浴室暖房機本体６の下面を浴室１の天井３の開口部８に臨ませてある。天井３の下から開口部８を覆うようにグリル板９を配置してあり、グリル板９を浴室暖房乾燥機本体６の下面側に取り付けてある。
【００１３】
浴室暖房機本体６内には温風用熱交換器１０や送風機１１を内装してある。この温風用熱交換器１０は内部に温水を通すことで外部を流れる空気と熱交換するようになっている。この温風用熱交換器１０は浴室暖房機本体６に配管した暖房用温水管路１２の途中に配置してあり、暖房用温水管路１２には給湯暖房機のような熱源機１３から温水が供給されるようになっている。暖房用温水管路１２の途中には温風用熱交換器１０への温水の供給を開閉する熱動弁のような暖房用開閉弁１４を設けてあり、暖房用温水管路１２の途中にはこの管路を流れる温水の温度を検出する暖房温水サーミスタＴＨ２を配置してある。また送風機１１には循環用ファン１１ａと換気用ファン１１ｂとがある。また浴室暖房機本体１２の下面側には循環用ファン１１ａで送風される空気を吹き出す吹き出し口１５を設けてあり、この吹き出し口１５には可動ルーバー１６を回転自在に装着してあり、可動ルーバー１６を回転することにより吹き出し口１５を開閉したり、吹き出し口１５から吹き出す風向を変えることができるようになっている。グリル板９には浴室１内の空気を吸い込む吸い込み口１７を設けてあり、この吸い込み口１７の近傍には浴室温度サーミスタＴＨ３を配置してある。
【００１４】
また浴室暖房機Ａにはミスト浴の機能を持たせるためのミスト発生部１８を組み込んである。ミスト発生部１８のミストノズル４はグリル板９の部分に配置してあり、ミスト用給水管路１９をミストノズル４に連通させてある。このミストノズル４としては複数個あるが、本例の場合２つのミストノズル４ａ，４ｂがあり、各ミストノズル４ａ，４ｂは０．５リットル／ｍｉｎ程度の流量で温水のミストを噴霧するようになっている。ミストノズル４ａ，４ｂの手前には電磁弁のようなミスト開閉弁２０ａ，２０ｂを設けてあり、ミスト開閉弁２０ａ，２０ｂの開閉にてミストノズル４ａやミストノズル４ｂから選択的に温水のミストが噴霧されるようになっている。２つのミストノズル４ａ，４ｂから温水のミストを噴霧すると、強のミスト量でミストを噴霧でき、一方のミストノズル４ａまたはミストノズル４ｂから温水のミストを噴霧すると、弱のミスト量で噴霧できるようになっている。本例の場合、ミスト発生部１８は浴室暖房機本体６の上に搭載してある。また２つのミストノズル４ａ，４ｂは浴槽２の長手方向と平行な方向で所定の間隔を隔ててるように設けてある。つまり、浴槽２の長手方向の一端側にミストノズル４ａが位置し、且つ浴槽２の長手方向の他端側にミストノズル４ｂが位置するようにしてある。
【００１５】
ミスト用給水管路１９には水道水のような上水が供給されるようになっており、入口側から順にストレーナ２１、電磁弁のような給水開閉弁２２を設けてある。上記暖房用温水管路１２には温風用熱交換器１０と並列になるようにミスト加熱用管路２３を設けてあり、このミスト加熱用管路２３の途中にはミスト加熱用管路２３を流れる温水の流れを制御する比例弁２４を設けてある。またミスト加熱用管路２３とミスト給水管路１９との間にはプレート式熱交換器などの液―液熱交換器であるミスト用熱交換器２５を配置してあり、ミスト加熱用管路２３を流れる温水でミスト用給水管路１９を流れるミスト用の水が加熱されるようになっている。ミスト用熱交換器２５とミスト開閉弁２０ａ，２０ｂとの間でミスト用給水管路１９からミスト用排水管路２６を分岐してあり、ミスト用給水管路１９内の水をミスト用排水管路２６から浴室１内または浴室１外に排出できるようになっている。ミスト用排水管路２６には電磁弁のような排水開閉弁２７と負圧を発生して排水が逆流するのを防止するバキュームブレーカ２８を設けてある。またミスト用熱交換器２５とミスト開閉弁２０ａ，２０ｂとの間でミスト用給水管路１９にはミスト用給水管路１９を流れる温水の温度を検出するミスト温度サーミスタＴＨ１を配置してある。
【００１６】
また浴室暖房機Ａは浴室１の外の脱衣所に設けた脱衣所操作器２９や浴室１内に設けた浴室操作器３０にてリモコン操作されるようになっている。脱衣所操作器２９には図５に示すようにタイマー表示部３１、タイマー設定スイッチ３２、風向スイッチ３３、ミストサウナスイッチ３４、乾燥スイッチ３５、暖房スイッチ３６、涼風スイッチ３７、換気スイッチ３８、停止スイッチ３９を設けてある。また浴室操作器３０には図６に示すように状態表示部４０、ミストサウナスイッチ３４、ミストスイッチ４１、温度設定スイッチ４２、暖房スイッチ３６、涼風スイッチ３７、風向スイッチ３３、ミスト入浴時間のストップウォッチのスタートストップスイッチ４３、リセットスイッチ４５、停止スイッチ３９を設けてある。図４は浴室暖房機Ａの制御回路を示し、脱衣所操作器２９や浴室操作器３０をリモコン操作することで制御部４６にて次のように制御できるようになっている。
【００１７】
脱衣所操作器２９または浴室操作器３０の暖房スイッチ３６を操作して浴室１内の暖房運転をした場合、暖房用開閉弁１４を開いて温風用熱交換器１０に温水が供給され、換気用ファン１１ｂの停止状態で循環用ファン１１ａが駆動され、可動ルーバー１６が開状態にされて吹き出し口１５が開かれる。これにより浴室１内の空気が吸い込み口１７から浴室暖房機本体６内に吸い込まれ、温風用熱交換器１０で温水と熱交換することで加熱された温風が吹き出し口１５から吹き出されるように空気が循環し、浴室１内の暖房がされる。このとき暖房スイッチ３６の強弱の切り替えにて循環用ファン１１ａの送風量を変えて強弱の切り替えができる。また風向スイッチ３３を操作することにより吹き出し口１５から吹き出す温風の向きを変えることができる。
【００１８】
脱衣所操作器２９の換気スイッチ３８を操作して浴室１内を換気する換気運転をした場合、暖房用開閉弁１４が閉じられて温風用熱交換器１０への温水の循環が停止されており、循環用ファン１１ａを停止した状態で換気用ファン１１ｂが駆動され、可動ルーバー１６が閉状態にされて吹き出し口１５が閉じられる。これにより、浴室１内の空気が吸い込み口１７から浴室暖房機本体６内に吸い込まれ、排気ダクト４７を介して外部に排気され、浴室１内の換気が行なわれる。このとき、換気スイッチ３８の強弱の切り替えにて換気用ファン１１ｂの送風量を変えて強弱の切り替えができる。
【００１９】
脱衣所操作器２９の乾燥スイッチ３５を操作して浴室１内の乾燥をしたり、浴室１内に干した洗濯物を乾燥したりする乾燥運転をした場合、暖房用開閉弁１４が開かれて温風用熱交換器１０に温水が供給され、循環用ファン１１ａ及び換気用ファン１１ｂが駆動され、可動ルーバー１６が開状態にされて吹き出し口１５が開かれる。これにより浴室１内の空気が吸い込み口１７から浴室暖房機本体６内に吸い込まれ、温風用熱交換器１０で温水と熱交換することで加熱された温風が吹き出し口１５から吹き出すように空気が循環し、一方、浴室暖房機本体６内に吸い込まれた空気の一部が排気ダクト４７を介して外部に排気される。これにより浴室１内の湿度が下がり、浴室１内の乾燥や浴室１内に干した衣類の洗濯物の乾燥が行なわれる。このとき、乾燥スイッチ３５を操作することで浴室１の乾燥と衣類の乾燥とが選択される。また風向スイッチ３３を操作することにより吹き出し口１５から吹き出す温風の向きを変えることができる。
【００２０】
脱衣所操作器２９または浴室操作器３０の涼風スイッチ３７を操作して浴室１内に涼風を送風する運転をした場合、暖房用開閉弁１４を閉じて温風用熱交換器１０への温水の供給が停止されており、換気用ファン１１ｂと循環用ファン１１ａが駆動されると共に可動ルーバー１６を開状態にして吹き出し口１５が開かれる。これにより、浴室１内の空気が吸い込み口１７から浴室暖房機本体６内に吸い込まれ、一部の空気が排気ダクト４７を介して外部に排気され、残りの空気が吹き出し口１５から浴室１内に吹き出され、浴室１内に涼風の送風が行なわれる。また風向スイッチ３３を操作することにより吹き出し口１５から吹き出す温風の向きを変えることができる。
【００２１】
脱衣所操作器２９や浴室操作器３０のミストサウナスイッチ３５を操作してミストサウナ運転をした場合、給水開閉弁２２が開かれてミスト用給水管路１９に給水されると共に比例弁２４が開かれてミスト加熱用管路２３に温水が循環させられる。これによりミスト用熱交換器２５にてミスト用給水管路１９を流れる水が加熱されて温水がミスト用給水管路１９を流れる状態となる。この状態でミスト開閉弁２０ａ，２０ｂが開かれて温水のミストがミストノズル４ａ，４ｂから噴霧される。一方、ミストサウナ運転をしたとき、暖房用開閉弁１４を開いて温風用熱交換器１０に温水が供給され、換気用ファン１１ｂの停止状態で循環用ファン１１ａが駆動され、可動ルーバー１６が開状態にされて吹き出し口１５が開かれる。これにより、浴室１内の空気が吸い込み口１７から浴室暖房機本体６内に吸い込まれ、温風用熱交換器１０で温水と熱交換することで加熱された温風が吹き出し口１５から吹き出されるように空気が循環し、浴室１内の暖房がされる。このようにミストノズル４ａ，４ｂからミストが噴霧されると共に温風で暖房されることによりミストサウナ浴が行なわれる。このとき、ミストサウナスイッチ３４を操作することによりミストサウナ強の状態とミストサウナ弱の状態に切り替えることができる。ミストサウナ強の状態に切り替えると一対のミストノズル４ａ，４ｂの両方からミストが噴霧され、ミストサウナ弱の状態に切り替えると、ミストノズル４ａまたはミストノズル４ｂの一方からミストが噴霧される。また風向スイッチ３３を操作することにより吹き出し口１５から吹き出す温風の向きを変えることができる。
【００２２】
浴室操作器３０のミストスイッチ４１を操作してミスト運転をした場合、給水開閉弁２２が開かれてミスト用給水管路１９に給水されると共に比例弁２４が開かれてミスト加熱用管路２３に温水が循環させられる。これによりミスト用熱交換器２５にてミスト用給水管路１９を流れる水が加熱されて温水がミスト用給水管路１９を流れる状態となる。この状態でミスト開閉弁２０ａ，２０ｂが開かれて温水のミストがミストノズル４ａ，４ｂから噴霧される。このときミストスイッチ４１を操作することによりミスト強の状態とミスト弱の状態に切り替えることができる。ミスト強の状態に切り替えると、一対のミストノズル４ａ，４ｂの両方からミストが噴霧され、ミスト弱の状態に切り替えると、ミストノズル４ａまたはミストノズル４ｂのいずれか一方からミストが噴霧される。
【００２３】
ところで、浴室１内には図７、図８に示すようにテレビ５が設けられ、テレビ５を見ながら入浴できるようにされる場合がある。テレビ５を設ける場合は浴槽２に浸かって入浴する場合にテレビ５を見やすい位置に設けるために浴槽２の長手方向の両端のうちいずれか一方に対応する浴室１の壁面に設けられる。つまり、浴槽２に浸かって入浴するとき、入浴者の頭が位置する側と反対側の浴室１の壁面にテレビ５が設けられる。このように浴室１内にテレビ５が設けられると、浴槽２内に浸かって通常の入浴をするときは支障なく見ることができて快適に入浴することができる。しかしながら浴室１内にミストノズル４ａ，４ｂから温水のミストを噴霧してミスト浴をしたり、これに温風を併用してミストサウナ浴をしたりする場合にもテレビ５を見ようとした場合、テレビ５のある位置にミストがかかるとテレビ５を見ることができなくてテレビ５を見ながらミスト浴をしたり、ミストサウナ浴をしたりすることができない。
【００２４】
ミスト運転を弱運転としてミスト弱の状態やミストサウナ弱の状態で運転をするとき、一対のミストノズル４ａ，４ｂのいずれか一方からミストを噴霧することでミストの噴霧量を少なくするが、本発明ではミストを噴霧するミストノズル４ａまたは４ｂをテレビ５のある側と反対側に設定することでテレビ５のある側のミストノズル４ａまたは４ｂからミストが噴霧されず、テレビ５にミストがかからないようにしている。つまり、図７に示すＬ側にテレビ５がある場合には、ミストノズル４ａがミストを噴霧せず、ミストノズル４ｂがミストを噴霧するように設定され、図８に示すようにＲ側にテレビ５がある場合には、ミストノズル４ｂがミストを噴霧せず、ミストノズル４ａがミストを噴霧するように設定される。このように弱運転時にテレビ５の設置箇所に応じたミストノズル４ａまたは４ｂからミストが噴霧されるように制御部４６によるミスト開閉弁２０ａ，２０ｂの開閉制御が設定される。
【００２５】
このようにしてテレビ５の設ける側に応じて弱運転時にミストを噴霧するミストノズル４ａ，４ｂを切り替えて設定することができるが、この切り替えの設定は脱衣所操作器２９をリモコン操作することにより行うことができるようになっている。この脱衣所操作器２９で弱運転時にミストを噴霧するミストノズル４ａ，４ｂを切り替える場合、例えば次のように行う。運転停止中に風向スイッチ３３を６秒以上押す。するとタイマー表示部３１に『‐‐‐‐』（初期設定）の表示が出る。この状態でタイマー設定スイッチ３２の∧／∨の操作で噴霧するミストノズル４ａ，４ｂを切り替える。このとき図９の左欄の下の図のように左側のミストノズル４ａからミストを噴霧するように切り替えると図９の左欄の上のように動作表示がされ、図９の右欄の下の図のように右側のミストノズル４ｂから噴霧するように切り替えると図９の右欄の上に示すように動作表示される、切り替え操作後の４秒経過後にタイマー表示部３１の表示は消灯するようになっている。
【００２６】
上記のようにミスト運転を弱としてミスト弱の状態やミストサウナ弱の状態で運転をするとき、テレビ５のある側のミストノズル４ａ，４ｂからミストが噴霧されず、テレビ５のある側にミストがかかりにくくなり、ミストに邪魔されずにテレビ５を見ることができる。ミスト量を少なくした弱運転を行う場合は長時間をかけてミスト浴やミストサウナ浴を行うが、このときテレビ５を見ながら入浴できて快適に入浴することができる。
【図面の簡単な説明】
【００２７】
【図１】本発明のミスト浴装置の実施の形態の一例を示す縦断面図である。
【図２】同上の浴室暖房機の内部の配管を説明する管路図である。
【図３】同上の浴室暖房機を浴室に設置した状態の一部切欠斜視図である。
【図４】同上の制御回路のブロック図である。
【図５】同上の脱衣所操作器の正面図である。
【図６】同上の浴室操作器の正面図である。
【図７】同上の浴室の一方の壁面にテレビを設けた場合を示し、（ａ）は概略横断面図、（ｂ）は概略縦断面図である。
【図８】同上の浴室の他方の壁面にテレビを設けた場合を示し、（ａ）は概略横断面図、（ｂ）は概略縦断面図である。
【図９】同上の切り替えの操作を説明する説明図である。
【符号の説明】
【００２８】
１  浴室  
２  浴槽
３  天井
４  ミストノズル
４ａ  ミストノズル
４ｂ  ミストノズル  
５  テレビ
【図１】
2006094954.tif 000003
【図２】
2006094954.tif 000004
【図３】
2006094954.tif 000005
【図４】
2006094954.tif 000006
【図５】
2006094954.tif 000007
【図６】
2006094954.tif 000008
【図７】
2006094954.tif 000009
【図８】
2006094954.tif 000010
【図９】
2006094954.tif 000011